(57)【特許請求の範囲】
【請求項１】
第１および第２の電極と、
第２の電極に一方の端子が接続された検出用抵抗と、
半波波形に近似した波形の測定用信号を生成するとともに、生成した測定用信号を第１の電極と検出用抵抗の他方の端子との間に印加する信号生成手段と、
検出用抵抗の端子間に生じる信号の半波に近似した波形のレベルを検出し、検出結果を検出信号として出力するレベル検出手段と、
検出信号のレベル値に基づいて体脂肪率を算出する体脂肪率算出手段とを備え、
レベル検出手段は、
一方の端子が第２の電極に接続された接続用コンデンサと、
ベースが接続用コンデンサの他方の端子に接続され、コレクタが第１の抵抗を介して接地され、エミッタが第２の抵抗を介してプラス電源に接続されたＰＮＰトランジスタと、
ＰＮＰトランジスタのベースにバイアス電流を供給するバイアス回路と、
ＰＮＰトランジスタのコレクタの出力を整流し、整流した出力を前記検出信号として出力する整流回路とを備えた体脂肪率測定装置において、
測定用信号が生成されている状態において、第１の電極と第２の電極とに生体が接触したときに整流回路から出力される検出信号のレベル値から、測定用信号の生成を停止した状態において、前記バイアス回路によりバイアス電流が与えられている前記ＰＮＰトランジスタに、前記検出信号のレベル値を変移させるバイアス電流を追加して与えたときの前記検出信号のレベル値を減算する補正手段を備え、
体脂肪率算出手段は、補正手段における減算結果に基づいて体脂肪率を求めることを特徴とする体脂肪率測定装置。
【請求項２】
第１および第２の電極と、
第２の電極に一方の端子が接続された検出用抵抗と、
半波波形に近似した波形の測定用信号を生成するとともに、生成した測定用信号を第１の電極と検出用抵抗の他方の端子との間に印加する信号生成手段と、
検出用抵抗の端子間に生じる信号の半波に近似した波形のレベルを検出し、検出結果を検出信号として出力するレベル検出手段と、
検出信号のレベル値に基づいて体脂肪率を算出する体脂肪率算出手段とを備え、
レベル検出手段は、
一方の端子が第２の電極に接続された接続用コンデンサと、
ベースが接続用コンデンサの他方の端子に接続され、コレクタが第１の抵抗を介して接地され、エミッタが第２の抵抗を介してプラス電源に接続されたＰＮＰトランジスタと、
ＰＮＰトランジスタのベースにバイアス電流を供給するバイアス回路と、
ＰＮＰトランジスタのコレクタの出力を整流し、整流した出力を前記検出信号として出力する整流回路とを備えた体脂肪率測定装置において、
測定用信号が生成されている状態において、第１の電極と第２の電極とに生体が接触したときに整流回路から出力される検出信号のレベル値を、測定用信号の生成を停止した状態において、前記バイアス回路によりバイアス電流が与えられている前記ＰＮＰトランジスタに、前記検出信号のレベル値を変移させるバイアス電流を追加して与えたときの前記検出信号のレベル値を用いて補正する補正手段を備え、
体脂肪率算出手段は、補正手段における補正結果に基づいて体脂肪率を求めることを特徴とする体脂肪率測定装置。
【請求項３】
第１および第２の電極と、
第２の電極に一方の端子が接続された検出用抵抗と、
半波波形に近似した波形の測定用信号を生成するとともに、生成した測定用信号を第１の電極と検出用抵抗の他方の端子との間に印加する信号生成手段と、
検出用抵抗の端子間に生じる信号の半波に近似した波形のレベルを検出し、検出結果を検出信号として出力するレベル検出手段と、
検出信号のレベル値に基づいて体脂肪率を算出する体脂肪率算出手段とを備え、
レベル検出手段は、
一方の端子が第２の電極に接続された接続用コンデンサと、
ベースが接続用コンデンサの他方の端子に接続され、コレクタが第１の抵抗を介してプラス電源に接続され、エミッタが第２の抵抗を介して接地されたＮＰＮトランジスタと、
ＮＰＮトランジスタのベースにバイアス電流を供給するバイアス回路と、
ＮＰＮトランジスタのコレクタの出力を整流する整流回路とを備えた体脂肪率測定装置において、
測定用信号が生成されている状態において、第１の電極と第２の電極とに生体が接触したときに整流回路から出力される検出信号のレベル値から、測定用信号の生成を停止した状態において、前記バイアス回路によりバイアス電流が与えられている前記ＮＰＮトランジスタに、前記検出信号のレベル値を変移させるバイアス電流を追加して与えたときの前記検出信号のレベル値を減算する補正手段を備え、
体脂肪率算出手段は、補正手段における減算結果に基づいて体脂肪率を求めることを特徴とする体脂肪率測定装置。
【請求項４】
生体に接触する第１および第２の電極と、
第２の電極に一方の端子が接続された検出用抵抗と、
半波波形に近似した波形の測定用信号を生成するとともに、生成した測定用信号を第１の電極と検出用抵抗の他方の端子との間に印加する信号生成手段と、
検出用抵抗の端子間に生じる信号の半波に近似した波形のレベルを検出し、検出結果を検出信号として出力するレベル検出手段と、
検出信号のレベル値に基づいて体脂肪率を算出する体脂肪率算出手段とを備え、
レベル検出手段は、
一方の端子が第２の電極に接続された接続用コンデンサと、
ベースが接続用コンデンサの他方の端子に接続され、コレクタが第１の抵抗を介してプラス電源に接続され、エミッタが第２の抵抗を介して接地されたＮＰＮトランジスタと、
ＮＰＮトランジスタのベースにバイアス電流を供給するバイアス回路と、
ＮＰＮトランジスタのコレクタの出力を整流する整流回路とを備えた体脂肪率測定装置において、
測定用信号が生成されている状態において、第１の電極と第２の電極とに生体が接触したときに整流回路から出力される検出信号のレベル値を、測定用信号の生成を停止した状態において、前記バイアス回路によりバイアス電流が与えられている前記ＮＰＮトランジスタに、前記検出信号のレベル値を変移させるバイアス電流を追加して与えたときの前記検出信号のレベル値を用いて補正する補正手段を備え、
体脂肪率算出手段は、補正手段における補正結果に基づいて体脂肪率を求めることを特徴とする体脂肪率測定装置。
【発明の詳細な説明】
【０００１】
【発明の属する技術分野】
本発明は、生体インピーダンスに基づいて体脂肪率を測定する体脂肪率測定装置に係り、より詳細には、半波波形に近似した信号を生体に流すことによって生体インピーダンスを測定する体脂肪率測定装置に関するものである。
【０００２】
【従来の技術】
生体インピーダンスを測定する場合、交流信号などの測定用信号を生体に流し、測定用信号が生体に流れることによって生体に生じる電圧を検出している。しかし、検出された電圧は、生体に流れる電流値の誤差や電圧を検出する検出回路の誤差の影響を受ける。このような誤差を解消する従来技術が、特許第２８３５６５６号として提案されている。すなわち、この技術においては、生体に測定用信号を流す電流経路に、複数の基準抵抗群を挿入している。そして、抵抗値の異なる複数の基準抵抗の各々に対応した電圧降下値と、生体に対応した電圧降下値とを、同じ測定環境下において、同じ回路を用いて測定している。そして、複数の基準抵抗の各値と、基準抵抗のそれぞれに対応する電圧降下値とから、電圧降下値とインピーダンスとの相関関係を求めている。そして、求めた相関関係を、生体の電圧降下値に適用することによって、生体インピーダンスを算出している。このため、生体に流れる電流値の誤差や電圧を検出する検出回路の誤差が除去されるので、測定された生体インピーダンスは、精度の高い値となっている（第１の従来技術とする）。
【０００３】
また、本願出願人により、図１０  に示す構成が提案されている。すなわち、半波波形に近似した波形の測定用信号を生成する信号生成手段３を設け、生成された測定用信号を第１の電極１に印加している。そして、第２の電極２を、検出用抵抗Ｒ１４を介して接地するとともに、検出用抵抗Ｒ１４の端子間に発生した半波信号における半波のレベルを、レベル検出手段４を用いて検出している。そして、レベル検出手段４の構成を、素子価格が安価であるディスクリート素子のみを用いて構成している（第２の従来技術とする）。
【０００４】
【発明が解決しようとする課題】
上記した第２の従来技術においては、温度が上昇すると、ＰＮＰトランジスタＱ１のベース電流が増加するので、コレクタの出力レベルは、温度の上昇に対応して上昇する。また、ダイオードＤ６の順方向電圧は、温度の上昇に対応して減少する。従って、コレクタのレベルが一定である場合にも、整流出力１５１は、温度の上昇に対応して上昇する。その結果、全体としての温度に対する変移は、ＰＮＰトランジスタＱ１のベース電流の増加と、ダイオードＤ６の順方向電圧の減少とが相乗的に作用し、温度特性を悪化させる。このような特性を有する第２の従来技術においては、検出用抵抗Ｒ１４の端子間に発生する信号レベルが、測定しようとする生体インピーダンスＺを直接に示すので、第１の従来技術による誤差の除去方法を適用することができない。このため、生体インピーダンスＺの検出の精度を高める別途の方法が望まれていた。
【０００５】
本発明は上記課題を解決するため創案されたものであって、その目的は、測定時のレベル検出手段の出力レベルから、動作点を強制的に変移させたときの出力レベルを減算し、減算結果に基づいて体脂肪率を求めることにより、温度変化による体脂肪率の測定精度の低下の防止と、精度を高めるための演算プログラムを簡単化することのできる体脂肪率測定装置を提供することにある。
【０００６】
また本発明の目的は、測定時のレベル検出手段の出力レベルを、動作点を強制的に変移させたときの出力レベルを用いて補正し、補正結果に基づいて体脂肪率を求めることにより、温度変化による体脂肪率の測定精度の低下を防止することのできる体脂肪率測定装置を提供することにある。
【０００７】
【課題を解決するための手段】
上記課題を解決するため本発明に係る体脂肪率測定装置は、第１および第２の電極と、第２の電極に一方の端子が接続された検出用抵抗と、半波波形に近似した波形の測定用信号を生成するとともに、生成した測定用信号を第１の電極と検出用抵抗の他方の端子との間に印加する信号生成手段と、検出用抵抗の端子間に生じる信号の半波に近似した波形のレベルを検出し、検出結果を検出信号として出力するレベル検出手段と、検出信号のレベル値に基づいて体脂肪率を算出する体脂肪率算出手段とを備え、レベル検出手段は、一方の端子が第２の電極に接続された接続用コンデンサと、ベースが接続用コンデンサの他方の端子に接続され、コレクタが第１の抵抗を介して接地され、エミッタが第２の抵抗を介してプラス電源に接続されたＰＮＰトランジスタと、ＰＮＰトランジスタのベースにバイアス電流を供給するバイアス回路と、ＰＮＰトランジスタのコレクタの出力を整流し、整流した出力を前記検出信号として出力する整流回路とを備えた体脂肪率測定装置において、測定用信号が生成されている状態において、第１の電極と第２の電極とに生体が接触したときに整流回路から出力される検出信号のレベル値（測定モードレベル値と称する）から、測定用信号の生成を停止した状態において、前記バイアス回路によりバイアス電流が与えられている前記ＰＮＰトランジスタに、前記検出信号のレベル値を変移させるバイアス電流を追加して与えたときの前記検出信号のレベル値（テストモードレベル値と称する）を減算する補正手段を備え、体脂肪率算出手段は、補正手段における減算結果に基づいて体脂肪率を求めている。
【０００８】
すなわち、２種の温度ｔ１，ｔ２の関係が（ｔ１＜ｔ２）であるとして、温度ｔ１における測定モードレベル値をＡ、テストモードレベル値をＢとすると、生体インピーダンスに変化がないときにも、温度がｔ２であるときには、測定モードレベル値は（Ａ＋ａ）となり、テストモードレベル値は（Ｂ＋ｂ）となる（ａ＞０、ｂ＞０）。従って、測定モードレベル値からテストモードレベル値を減じた値Ｃを求めると、値Ｃは、温度がｔ１であるときには、（Ｃ＝Ａ−Ｂ）として示される。また、温度がｔ２であるときには、（Ｃ＝（Ａ＋ａ）−（Ｂ＋ｂ））として示される。すなわち、（Ｃ＝（Ａ−Ｂ）＋（ａ−ｂ））として示される。このことは、測定モード時の温度上昇による増加分ａと、テストモード時の温度上昇による増加分ｂとを等しくする場合には、測定モードレベル値から、測定モード時と同一温度におけるテストモードレベル値を減じると、減算値Ｃは、温度の影響が除去された値となる。
【０００９】
また本発明に係る体脂肪率測定装置は、第１および第２の電極と、第２の電極に一方の端子が接続された検出用抵抗と、半波波形に近似した波形の測定用信号を生成するとともに、生成した測定用信号を第１の電極と検出用抵抗の他方の端子との間に印加する信号生成手段と、検出用抵抗の端子間に生じる信号の半波に近似した波形のレベルを検出し、検出結果を検出信号として出力するレベル検出手段と、検出信号のレベル値に基づいて体脂肪率を算出する体脂肪率算出手段とを備え、レベル検出手段は、一方の端子が第２の電極に接続された接続用コンデンサと、ベースが接続用コンデンサの他方の端子に接続され、コレクタが第１の抵抗を介して接地され、エミッタが第２の抵抗を介してプラス電源に接続されたＰＮＰトランジスタと、ＰＮＰトランジスタのベースにバイアス電流を供給するバイアス回路と、ＰＮＰトランジスタのコレクタの出力を整流し、整流した出力を前記検出信号として出力する整流回路とを備えた体脂肪率測定装置において、測定用信号が生成されている状態において、第１の電極と第２の電極とに生体が接触したときに整流回路から出力される検出信号のレベル値を、測定用信号の生成を停止した状態において、前記バイアス回路によりバイアス電流が与えられている前記ＰＮＰトランジスタに、前記検出信号のレベル値を変移させるバイアス電流を追加して与えたときの前記検出信号のレベル値を用いて補正する補正手段を備え、体脂肪率算出手段は、補正手段における補正結果に基づいて体脂肪率を求めている。
【００１０】
すなわち、２種の温度ｔ１，ｔ２（ｔ１＜ｔ２）のうち、温度ｔ１における測定モードレベル値をＡ、テストモードレベル値をＢとすると、温度がｔ２であるときの測定モードレベル値を（Ａ＋ａ）でもって示すことができ、テストモードレベル値を（Ｂ＋ｂ）でもって示すことができる（ａ＞０、ｂ＞０）。つまり、測定モードレベル値とテストモードレベル値との双方に、温度変化による変移分が含まれる。従って、テストモードレベル値を用いて測定モードレベル値を補正すると、測定モードレベル値における値ａを微小な値に変えることができる。
【００１１】
また本発明に係る体脂肪率測定装置は、第１および第２の電極と、第２の電極に一方の端子が接続された検出用抵抗と、半波波形に近似した波形の測定用信号を生成するとともに、生成した測定用信号を第１の電極と検出用抵抗の他方の端子との間に印加する信号生成手段と、検出用抵抗の端子間に生じる信号の半波に近似した波形のレベルを検出し、検出結果を検出信号として出力するレベル検出手段と、検出信号のレベル値に基づいて体脂肪率を算出する体脂肪率算出手段とを備え、レベル検出手段は、一方の端子が第２の電極に接続された接続用コンデンサと、ベースが接続用コンデンサの他方の端子に接続され、コレクタが第１の抵抗を介してプラス電源に接続され、エミッタが第２の抵抗を介して接地されたＮＰＮトランジスタと、ＮＰＮトランジスタのベースにバイアス電流を供給するバイアス回路と、ＮＰＮトランジスタのコレクタの出力を整流する整流回路とを備えた体脂肪率測定装置において、測定用信号が生成されている状態において、第１の電極と第２の電極とに生体が接触したときに整流回路から出力される検出信号のレベル値から、測定用信号の生成を停止した状態において、前記バイアス回路によりバイアス電流が与えられている前記ＮＰＮトランジスタに、前記検出信号のレベル値を変移させるバイアス電流を追加して与えたときの前記検出信号のレベル値を減算する補正手段を備え、体脂肪率算出手段は、補正手段における減算結果に基づいて体脂肪率を求めている。
【００１２】
すなわち、２種の温度ｔ１，ｔ２の関係が（ｔ１＜ｔ２）であるとして、温度ｔ１における測定モードレベル値をＡ、テストモードレベル値をＢとすると、生体インピーダンスに変化がないときにも、温度がｔ２であるときには、測定モードレベル値は（Ａ−ａ）となり、テストモードレベル値は（Ｂ−ｂ）となる（ａ＞０、ｂ＞０）。従って、測定モードレベル値からテストモードレベル値を減じた値Ｃを求めると、値Ｃは、温度がｔ１であるときには、（Ｃ＝Ａ−Ｂ）として示される。また、温度がｔ２であるときには、（Ｃ＝（Ａ−ａ）−（Ｂ−ｂ））として示される。すなわち、（Ｃ＝（Ａ−Ｂ）−（ａ−ｂ））として示される。このことは、測定モード時の温度上昇による減少分ａと、テストモード時の温度上昇による減少分ｂとを等しくする場合には、測定モードレベル値から、測定モード時と同一温度におけるテストモードレベル値を減じると、減算値Ｃは、温度の影響が除去された値となる。
【００１３】
また本発明に係る体脂肪率測定装置は、生体に接触する第１および第２の電極と、第２の電極に一方の端子が接続された検出用抵抗と、半波波形に近似した波形の測定用信号を生成するとともに、生成した測定用信号を第１の電極と検出用抵抗の他方の端子との間に印加する信号生成手段と、検出用抵抗の端子間に生じる信号の半波に近似した波形のレベルを検出し、検出結果を検出信号として出力するレベル検出手段と、検出信号のレベル値に基づいて体脂肪率を算出する体脂肪率算出手段とを備え、レベル検出手段は、一方の端子が第２の電極に接続された接続用コンデンサと、ベースが接続用コンデンサの他方の端子に接続され、コレクタが第１の抵抗を介してプラス電源に接続され、エミッタが第２の抵抗を介して接地されたＮＰＮトランジスタと、ＮＰＮトランジスタのベースにバイアス電流を供給するバイアス回路と、ＮＰＮトランジスタのコレクタの出力を整流する整流回路とを備えた体脂肪率測定装置において、測定用信号が生成されている状態において、第１の電極と第２の電極とに生体が接触したときに整流回路から出力される検出信号のレベル値を、測定用信号の生成を停止した状態において、前記バイアス回路によりバイアス電流が与えられている前記ＮＰＮトランジスタに、前記検出信号のレベル値を変移させるバイアス電流を追加して与えたときの前記検出信号のレベル値を用いて補正する補正手段を備え、体脂肪率算出手段は、補正手段における補正結果に基づいて体脂肪率を求めている。
【００１４】
すなわち、２種の温度ｔ１，ｔ２（ｔ１＜ｔ２）のうち、温度ｔ１における測定モードレベル値をＡ、テストモードレベル値をＢとすると、温度がｔ２であるときの測定モードレベル値を（Ａ−ａ）でもって示すことができ、テストモードレベル値を（Ｂ−ｂ）でもって示すことができる（ａ＞０、ｂ＞０）。つまり、測定モードレベル値とテストモードレベル値との双方に、温度変化による変移分が含まれる。従って、テストモードレベル値を用いて測定モードレベル値を補正すると、測定モードレベル値における値ａを微小な値に変えることができる。
【００１５】
【発明の実施の形態】
以下に本発明の実施例の形態を、図面を参照しつつ説明する。
図３は、本発明の体脂肪率測定装置の一実施形態の外観形状を示す説明図であり、具体的には、テレビジョン受信装置のリモートコントローラとしての機能を併せ持った体脂肪率測定装置を示している。
【００１６】
図において、装置本体３１の操作面３２には、身長や体重の入力、あるいは、チャンネルの指示等に使用される数字キー３４が設けられている。また、体脂肪率測定装置としての動作やリモートコントローラとしての動作の切り換え等を行うため、複数のモードキー３５が設けられている。また、体脂肪率の測定の開始を指示する測定キー３６が設けられている（実機においては、その他のキースイッチも設けられているが、図示が省略されている）。
【００１７】
また、操作面３２の下方の左右のそれぞれには、体脂肪率の測定時に、ユーザの親指が接触される一対の電極板Ｌ４１，Ｒ４１が設けられている。また、装置本体３１の背面３３には、操作面３２側の電極板Ｌ４１，Ｒ４１のそれぞれに対応する位置に、電極板Ｌ４２，Ｒ４２が設けられている。そして、電極板Ｌ４１と電極板Ｌ４２とは、図４に示すように、装置本体３１の内部において電気的に接続されており、第１の電極１を形成している。また、電極板Ｒ４１と電極板Ｒ４２もまた、装置本体３１の内部において電気的に接続されており、第２の電極２を形成している。
【００１８】
すなわち、第１の電極１と第２の電極２とは、それぞれが、操作面３２側の電極板Ｌ４１，Ｒ４１と背面３３側の電極板Ｌ４２，Ｒ４２とにより形成されている。従って、体脂肪率の測定時においては、左手の親指と人指し指との双方を、比較的強い押圧力でもって第１の電極に接触させることが容易となっている。このことは、右手の親指や人指し指と第２の電極２との関係についても同様となる。つまり、第１および第２の電極１，２のそれぞれにおける接触インピーダンスを、比較的に小さな値にすることを容易にする形状となっている。
【００１９】
図２は、実施形態の電気的構成を示すブロック線図である。
インピーダンス検出手段１５は、第１の電極１と第２の電極２との間に接続されたインピーダンスＺに対応したレベルとなる検出信号１５１を制御手段１７に送出するブロックとなっている（後に詳述する）。キースイッチ２０は、図３に示した数字キー３４、モードキー３５、測定キー３６や、図示が省略されたその他のキースイッチからなるブロックとなっている。
【００２０】
発光手段２１は、図６に示したテレビジョン受信装置５３に赤外線を送信するための赤外線発光ダイオード等からなるブロックとなっている。電源回路１８は、バッテリ１９を電力源として、インピーダンス検出手段１５のための安定化された４Ｖのプラス電源Ｐ１と、マイクロコンピュータ１６用の非安定のプラス電源Ｐ２とを生成するブロックとなっている。
【００２１】
制御手段１７の構成の説明を行う前に、図１を参照しつつ、インピーダンス検出手段１５の詳細な構成について説明する。なお、従来技術と同一となる素子については、図１０における符号と同一符号を付与している。
【００２２】
インピーダンス検出手段１５は、大別すると、信号生成手段３、レベル検出手段４、および、４つのダイオードＤ２〜Ｄ５と３つの抵抗Ｒ１２〜Ｒ１４とを備えている。
【００２３】
詳細には、抵抗Ｒ１４は、請求項記載の検出用抵抗となっていて、一方の端子は第２の電極２に接続され、他方の端子は接地されている。信号生成手段３は、制御手段１７において生成された５０ＫＨｚのパルス信号１７１を原信号として、半波波形に近似した波形の測定用信号を生成するブロックとなっている。そして、生成した測定用信号を、第１の電極１と検出用抵抗Ｒ１４の他方の端子（接地レベル）との間に印加する。レベル検出手段４は、検出用抵抗Ｒ１４の端子間に生じる信号の半波に近似した波形のレベル検出を行うブロックとなっている。そして、検出結果を検出信号１５１として、制御手段１７に送出する。
【００２４】
レベル検出手段４の詳細を説明すると、一方の端子が、抵抗Ｒ１５を介して、第２の電極２に接続された接続用コンデンサＣ１を備えている。なお、抵抗Ｒ１５は、第２の電極２の側からレベル検出手段４を見たときのインピーダンスを高めるための素子となっている。また、ベースが接続用コンデンサＣ１の他方の端子に接続され、コレクタが、負荷インピーダンスとなる第１の抵抗Ｒ１を介して接地され、エミッタが、負帰還を与える第２の抵抗Ｒ２を介してプラス電源Ｐ１に接続されたＰＮＰトランジスタＱ１を備えている。また、抵抗Ｒ１６と抵抗Ｒ１７とからなり、ＰＮＰトランジスタＱ１のベースにバイアス電流を供給するバイアス回路７を備えている。
【００２５】
また、ＰＮＰトランジスタＱ１のコレクタの出力を整流し、整流した出力を、検出信号１５１として送出する整流回路８を備えている。なお、整流回路８は、アノードがＰＮＰトランジスタＱ１のコレクタに接続されたダイオードＤ６と、ダイオードＤ６のカソードと接地レベルとの間に接続されたコンデンサＣ１２と、コンデンサＣ１２に並列に接続された放電用の抵抗Ｒ１８とによって構成されている。
【００２６】
なお、ダイオードＤ２，Ｄ３、抵抗Ｒ１２は、第１の電極１に静電気が印加されたときに信号生成手段３を保護するための素子となっている。また、ダイオードＤ４，Ｄ５は、第２の電極２に静電気が印加されたときにレベル検出手段４を保護するための素子となっている。また、第２の電極２とプラス電源Ｐ１との間に接続された抵抗Ｒ１３は、検出用抵抗Ｒ１４の端子間に発生する電圧をプラス側に変移させるための素子となっている。
【００２７】
また、コレクタが抵抗Ｒ６を介してＰＮＰトランジスタＱ１のベースに接続され、エミッタが接地され、ベースには、抵抗Ｒ４を介して、制御手段１７の制御出力１７２が導かれたトランジスタＱ２は、バイアス回路７によってバイアス電流が与えられているＰＮＰトランジスタＱ１に、整流回路８の出力レベルが増加する方向のバイアス電流を追加して与えるための素子となっている。なお、抵抗Ｒ５は、制御出力１７２がＬレベルとなるとき、トランジスタＱ２のベースインピーダンスの上昇を抑制する。
【００２８】
以上でインピーダンス検出手段１５の詳細な構成の説明を終了し、図２に戻って、制御手段１７の構成を説明する。
【００２９】
制御手段１７は、インピーダンス検出手段１５から出力される検出信号１５１のレベル値を取得するためのＡ／Ｄ変換器などを備えたマイクロコンピュータにより構成されたブロックとなっていて、リモートコントローラ機能付き体脂肪率測定装置としての主要動作を制御する。このため、リモートコントローラとしての動作となるときには、電源回路１８を制御することにより、インピーダンス検出手段１５に供給されるプラス電源Ｐ１を０Ｖとする。また、キースイッチ２０の操作に対応した赤外線信号を発光手段２１から出力させる制御を行う。
【００３０】
また、制御手段１７は、体脂肪率測定装置としての動作を実行するときには、キースイッチ２０を用いた身長や体重の入力を行い、内部に記憶する。また、電源回路１８を制御することにより、プラス電源Ｐ１を４Ｖとして、インピーダンス検出手段１５を動作状態に移行させる。また、測定用信号の生成を停止させた状態において、ＰＮＰトランジスタＱ１に、整流回路８の出力レベルを変移させるバイアス電流を追加して与えたときの整流回路８の出力レベル値（検出信号１５１のレベル値）を補正値として記憶する。
【００３１】
また、制御手段１７は補正手段を構成する。すなわち、信号生成手段３により測定用信号を生成させた状態において、第１の電極１と第２の電極２との間のインピーダンスＺを測定するときには、整流回路８から出力される検出信号１５１のレベル値を、記憶した補正値を用いて補正する。また、補正手段により補正された値と、入力された身長や体重とに基づき、体脂肪率を求める体脂肪率算出手段を構成する。そして、求めた体脂肪率をテレビジョン受信装置５３の画面５１のエリア５２に表示させるため、体脂肪率を示す赤外線信号を発光手段２１から送信する。
【００３２】
以下に、レベル検出手段４による生体インピーダンスＺの検出の動作について詳細に説明すると、生体インピーダンスＺの測定時には、制御出力１７２はＬレベルに設定される。その結果、トランジスタＱ２はオフとなり、抵抗Ｒ６は、ＰＮＰトランジスタＱ１のベースから切り離される。一方、信号生成手段３にはパルス信号１７１が送出される。従って、信号生成手段３は測定用信号（波形を図７の３０１により示す）を生成し、第１の電極１に送出する。
【００３３】
このため、検出用抵抗Ｒ１４の第２の電極２側の端子には、第１の電極１と第２の電極２との間に接続された生体インピーダンスＺに対応した振幅の、半波波形に近似した信号が現れる。そして、この信号はＰＮＰトランジスタＱ１によって増幅され、コレクタから出力される（コレクタから出力される信号波形を図７の４０１により示す）。その結果、整流回路８の出力である検出信号１５１のレベルは、第１の電極１と第２の電極２との間に接続された生体インピーダンスＺに対応して変化する。すなわち、生体インピーダンスＺは、検出信号１５１のレベル値によって示されることになる。
【００３４】
一方、信号生成手段３へのパルス信号１７１の送出が停止され、信号生成手段３が測定用信号の生成を停止する場合、第２の電極２に現れる信号成分は、直流成分と外来ノイズ成分のみとなる。これらのうち、直流成分は接続用コンデンサＣ１によって遮断される。また、検出用抵抗Ｒ１４および抵抗Ｒ１３の値は、各々が数ｋΩ程度となっていて、外部から見たときの第２の電極２のインピーダンスは低い。従って、測定用信号の生成が停止された状態においては、第２の電極２に指などを接触させるときにも、ＰＮＰトランジスタＱ１のベースに導かれる外来ノイズ成分は、無視することが可能な微小レベルに留まる。
【００３５】
上記した状態においては、ＰＮＰトランジスタＱ１のコレクタの電位が約０．７Ｖとなるように、バイアス回路７によるバイアス電流が設定されている。これは、以下に示す２つの理由による。その第１の理由は、ＰＮＰトランジスタＱ１のベースに信号（第１の電極１と生体インピーダンスＺと第２の電極２とを介した測定用信号）が導かれないときには、整流回路８の出力である検出信号１５１のレベル値を０Ｖの近傍値とするためである。また、第２の理由は、ベースに測定用信号が導かれたときには、そのレベルが微小であるときにも、検出信号１５１のレベル値が上昇を始めるようにするためである。
【００３６】
一方、制御出力１７２をＨレベルにすると、トランジスタＱ２がオンとなる。その結果、ＰＮＰトランジスタＱ１のベースには、バイアス回路７によって設定されたバイアス電流が流れるとともに、抵抗Ｒ６を介したベース電流が併せて流れる。その結果、ＰＮＰトランジスタＱ１のコレクタ電流が増加する。従って、信号生成手段３が測定用信号の生成を停止した状態にあるときにも、制御出力１７２をＨレベルにすると、ＰＮＰトランジスタＱ１のコレクタ電位が上昇するので、検出信号１５１のレベル値が、０Ｖの近傍値から、例えば、１Ｖ等の電圧まで上昇する。
【００３７】
なお、レベル検出手段４においては、既に説明したように、温度が上昇すると、ＰＮＰトランジスタＱ１のベース電流が増加し、コレクタ電流の増加が生じる。従って、温度が上昇するときには、コレクタの出力レベルの上昇を生じる。また、ダイオードＤ６の順方向電圧は、温度の上昇に対応して減少する。従って、コレクタの出力レベルを一定とするときにも、温度が上昇すると、整流出力１５１のレベル値には上昇が生じる。以上の結果、全体としての温度に対する変移は、ＰＮＰトランジスタＱ１のベース電流の増加と、ダイオードＤ６の順方向電圧の減少とが相乗的に作用し、温度特性を悪化させることになる。
【００３８】
上記した温度特性の悪化は、信号生成手段３に測定用信号を生成させた状態において、生体インピーダンスＺの検出を行うとき（以下では測定モードと称する）に生じるとともに、信号生成手段３における測定用信号の生成を停止させ、制御出力１７２をＨレベルとすることによって、検出信号１５１のレベルを上昇させた場合（以下ではテストモードと称する）にも、同様に生じる。
【００３９】
いま、２種の温度ｔ１，ｔ２の関係が（ｔ１＜ｔ２）であるとして、温度ｔ１における測定モード時の検出信号１５１のレベル値（以下では測定モードレベル値と称する）をＡ、テストモード時の検出信号１５１のレベル値（以下ではテストモードレベル値と称する）をＢとすると、生体インピーダンスＺに変化がないときにも、温度がｔ２であるときには、測定モードレベル値は（Ａ＋ａ）となり、テストモードレベル値は（Ｂ＋ｂ）となる（ａ＞０、ｂ＞０）。
【００４０】
いま、測定モードレベル値からテストモードレベル値を減じた値Ｃを求めると、値Ｃは、温度がｔ１であるときには、（Ｃ＝Ａ−Ｂ）として示される。また、温度がｔ２であるときには、（Ｃ＝（Ａ＋ａ）−（Ｂ＋ｂ））として示される。すなわち、（Ｃ＝（Ａ−Ｂ）＋（ａ−ｂ））として示される。このことは、測定モード時の温度上昇による増加分ａと、テストモード時の温度上昇による増加分ｂとを等しくすることができるなら、測定モード時と同一温度におけるテストモードレベル値を測定モードレベル値から減じると、減算値Ｃは、温度の影響が除去された値となることを意味する。
【００４１】
テストモードレベル値の温度上昇による増分ｂは、テストモードレベル値を１Ｖとした場合と、２Ｖとした場合とを比較すると、２Ｖとした場合の方が大きくなる。このことは、抵抗Ｒ６の値を小さくし、ＰＮＰトランジスタＱ１のバイアス電流を多くするほど、温度上昇による増分ｂが大きくなることを意味している。また、テストモードレベル値を０Ｖ近傍とするときでは、増分ｂは０の近傍値となる。このことは、抵抗Ｒ６に最良値が存在することを意味する。一方、信号生成手段３が生成する測定用信号のレベルについても、温度による変化が生じる。このため、抵抗Ｒ６の値については、実験結果に基づき、信号生成手段３の温度特性をも含めて、総合的に、減算値Ｃの温度特性が最良となる値に設定される。
【００４２】
以上の説明から明らかであるが、テストモードレベル値は、温度が一定である場合には、一定である。従って、減算値Ｃは、第１の電極１と第２の電極２との間に接続された生体インピーダンスＺに対応して変化する値となる。すなわち、生体インピーダンスＺは減算値Ｃにより示されることになる。
【００４３】
以上でレベル検出手段４の説明を終了し、以下に、図５に示すフローチャートを参照しつつ、実施形態の動作を説明する。
【００４４】
体脂肪率の測定を行わない場合、制御手段１７は、プラス電源Ｐ１を０Ｖとし、バッテリ１９の不要な消耗を防止する。また、キースイッチ２０により、体脂肪率を測定しようとするユーザの体重や身長が既に入力されているとする。この状態において、赤外線がテレビジョン受信装置５３に送信されるように装置本体３１を支持し、測定キー３６を操作すると、制御手段１７は、電源回路１８を制御し、プラス電源Ｐ１を０Ｖから４Ｖに変化させ、インピーダンス検出手段１５を動作状態に設定する（ステップＳ１）。そして、信号生成手段３にパルス信号１７１を送出することなく、制御出力１７２をＨレベルとする。このとき、レベル検出手段４から送出される検出信号１５１の出力をＡ／Ｄ変換し、Ａ／Ｄ変換された値（テストモードレベル値）を補正値として内部に記憶する（ステップＳ２）。
【００４５】
次いで、制御手段１７は、電極板Ｌ４１に左手の親指、電極板Ｌ４２に左手の人指し指、電極板Ｒ４１に右手の親指、電極板Ｒ４２に右手の人指し指を接触させるためのメッセージを、テレビジョン受信装置５３の画面５１に表示する（ステップＳ３）。そして後、パルス信号１７１を信号生成手段３に送出することによって、信号生成手段３における測定用信号の生成を開始する。そして、このとき、レベル検出手段４から送出される検出信号１５１の出力をＡ／Ｄ変換する（ステップＳ４）。次いで、制御手段１７は、Ａ／Ｄ変換された値から補正値を減じることによって、生体インピーダンスＺを示す測定値を補正する（ステップＳ５）。
【００４６】
そして後、補正された値と、予め入力された体重と身長とから体脂肪率を算出し（ステップＳ６）、算出した体脂肪率をテレビジョン受信装置５３の画面５１に表示させる（ステップＳ７）。そして後、電源回路１８を制御することによって、プラス電源Ｐ１を０Ｖにし、インピーダンス検出手段１５の動作を停止させる。また、パルス信号１７１の送出を停止する（ステップＳ８）。その結果、テレビジョン受信装置５３の画面５１のエリア５２には、測定された体脂肪率が表示されることになる。
【００４７】
なお、実機においては、補正後の値に基づく体脂肪率の演算に、従来技術における演算方法を適用可能とするため、ステップＳ５の補正を行う場合、測定モードレベル値をＡ、テストモードレベル値をＢ、値Ｂに近似した定数をＫとすると、補正された値Ｃを求めるときには、（Ｃ＝Ａ＋（Ｋ−Ｂ））なる演算を行っている。
【００４８】
以下に、図８を参照しつつ、レベル検出手段４のＰＮＰトランジスタＱ１を、ＮＰＮトランジスタに変えた場合の構成について説明する。なお、同図では、図１における構成と作用が同一となる素子については、図１における符号と同一符号を付与している。このため、以下では、図１における構成との相違点についてのみ、説明を行うことにする。
【００４９】
図１におけるＰＮＰトランジスタＱ１は、ＮＰＮトランジスタＱ１１に変更されている。この変更に合わせ、第１の抵抗Ｒ１は、ＮＰＮトランジスタＱ１１のコレクタとプラス電源Ｐ１との間に接続されている。また、第２の抵抗Ｒ２は、ＮＰＮトランジスタＱ１１のエミッタと接地レベルとの間に接続されている。また、バイアス回路７ａにおいては、抵抗Ｒ１６と抵抗Ｒ１７とが入れ代わっている。また、整流回路８ａにおいては、ダイオードＤ６の向きが変更されるとともに、抵抗Ｒ１８が、ダイオードＤ６のアノードとプラス電源Ｐ１との間に接続されている。
【００５０】
また、コレクタが抵抗Ｒ９を介してＮＰＮトランジスタＱ１１のベースに接続され、エミッタがプラス電源Ｐ１に接続され、ベースには、抵抗Ｒ７を介して、制御手段１７の制御出力１７２が導かれたトランジスタＱ１２は、バイアス回路７ａによりバイアス電流が与えられているＮＰＮトランジスタＱ１１に、整流回路８ａの出力レベルが増加する方向（０Ｖに向かう方向）のバイアス電流を追加して与えるための素子となっている。
【００５１】
なお、レベル検出手段を４ａに示す構成とする場合には、信号生成手段３ａから出力される測定用信号の波形は、図９の３０１ａに示したように、電位が上昇する方向に半波波形が形成される形状となっている。また、レベル検出手段４ａにおけるＮＰＮトランジスタＱ１１のコレクタの信号波形は、同図４０１ａに示すように、プラス電源Ｐ１の電圧の４Ｖの近傍値を基準電位として、０Ｖの側に半波波形が形成される形状となっている。従って、整流回路８ａから送出される検出信号１５１ａのレベル値は、生体インピーダンスＺの値が小さい程、０Ｖに近づくように変化する。
【００５２】
また、測定用信号の生成が停止された状態においては、ＮＰＮトランジスタＱ１１のコレクタの電位が、プラス電源Ｐ１に対し、約０．７Ｖだけ低い電圧となるように、バイアス回路７ａによるバイアス電流が設定されている。これは、以下に示す２つの理由による。その第１の理由は、ＮＰＮトランジスタＱ１１のベースに信号（第１の電極１と生体インピーダンスＺと第２の電極２とを介した測定用信号）が導かれないときには、整流回路８ａの出力である検出信号１５１ａのレベル値を、プラス電源Ｐ１の電圧の近傍値とするためである。また、第２の理由は、ベースに測定用信号が導かれたときには、そのレベルが微小であるときにも、検出信号１５１ａのレベル値が下降を始めるようにするためである。
【００５３】
一方、制御出力１７２をＬレベルにすると、トランジスタＱ１２がオンとなる。その結果、ＮＰＮトランジスタＱ１１のベースには、バイアス回路７ａによって設定されたバイアス電流が流れるとともに、抵抗Ｒ９を介したベース電流が併せて流れる。その結果、ＮＰＮトランジスタＱ１１のコレクタ電流が増加する。従って、信号生成手段３が測定用信号の生成を停止した状態にあるときにも、制御出力１７２をＬレベルにすると、ＮＰＮトランジスタＱ１１のコレクタ電位が下降するので、検出信号１５１ａのレベル値が、プラス電源Ｐ１の近傍値から、例えば、３Ｖ等の電圧まで下降する。
【００５４】
なお、レベル検出手段４ａにおいては、温度が上昇すると、ＮＰＮトランジスタＱ１１のベース電流が増加し、コレクタ電流の増加が生じる。従って、温度が上昇するときには、コレクタの電圧の降下を生じる。また、ダイオードＤ６の順方向電圧は、温度の上昇に対応して減少する。従って、コレクタの電圧を一定とするときにも、温度が上昇すると、整流出力１５１ａの出力レベル値には降下が生じる。以上の結果、全体としての温度に対する変移は、ＮＰＮトランジスタＱ１１のベース電流の増加と、ダイオードＤ６の順方向電圧の減少とが相乗的に作用し、温度特性を悪化させることになる。
【００５５】
上記した温度特性の悪化は、信号生成手段３に測定用信号を生成させた状態において、生体インピーダンスＺの検出を行うとき（以下では測定モードと称する）に生じるとともに、信号生成手段３における測定用信号の生成を停止させ、制御出力１７２をＬレベルとすることによって、検出信号１５１ａのレベル値を下降させた場合（以下ではテストモードと称する）にも、同様に生じる。
【００５６】
いま、２種の温度ｔ１，ｔ２の関係が（ｔ１＜ｔ２）であるとして、温度ｔ１における測定モードレベル値をＡ、テストモードレベル値をＢとすると、生体インピーダンスＺに変化がないときにも、温度がｔ２であるときには、測定モードレベル値は（Ａ−ａ）となり、テストモードレベル値は（Ｂ−ｂ）となる（ａ＞０、ｂ＞０）。
【００５７】
いま、測定モードレベル値からテストモードレベル値を減じた値Ｃを求めると、値Ｃは、温度がｔ１であるときには、（Ｃ＝Ａ−Ｂ）として示される。また、温度がｔ２であるときには、（Ｃ＝（Ａ−ａ）−（Ｂ−ｂ））として示される。すなわち、（Ｃ＝（Ａ−Ｂ）−（ａ−ｂ））として示される。このことは、測定モード時の温度上昇による減少分ａと、テストモード時の温度上昇による減少分ｂとを等しくすることができるなら、測定モード時と同一温度におけるテストモードレベル値を測定モードレベル値から減じると、減算値Ｃは、温度の影響が除去された値となることを意味する。
【００５８】
テストモードレベル値の温度上昇による減少分ｂは、テストモードレベル値を３Ｖとした場合と、２Ｖとした場合とを比較すると、２Ｖとした場合の方が大きくなる。このことは、抵抗Ｒ９の値を小さくし、ＮＰＮトランジスタＱ１１のバイアス電流を多くするほど、温度上昇による減少分ｂが大きくなることを意味している。また、テストモードレベル値をプラス電源Ｐ１の近傍値とするときでは、減少分ｂは０となる。このことは、抵抗Ｒ９に最良値が存在することを意味する。一方、信号生成手段３が生成する測定用信号のレベルについても、温度による変化が生じる。このため、抵抗Ｒ９の値については、実験結果に基づき、信号生成手段３の温度特性をも含めて、総合的に、減算値Ｃの温度特性が最良となる値に設定される。
【００５９】
なお、上記構成からなるレベル検出手段４ａを用いた体脂肪率測定の動作は、図１に示すレベル検出手段４を用いた場合の体脂肪率の測定の動作と同様となるので、説明を省略する。
【００６０】
なお、本発明は上記実施形態に限定されず、テストモードレベル値（補正値）を先に取得し、次いで、測定モードレベル値（生体インピーダンスＺを示すレベル値）を得る構成とした場合について説明したが、測定モードレベル値を先に取得とし、次いで、テストモードレベル値を得る構成とすることができる。
【００６１】
また、図１に示す構成、および、図８に示す構成において、測定モードレベル値Ａをテストモードレベル値Ｂを用いて補正する方法については、測定モードレベル値からテストモードレベル値の１倍値を減算する方法とした場合について説明したが、その他の方法として、例えば、（Ｃ＝Ａ−α×Ｂ）等の演算方法を用いて補正することもできる。また、測定モードレベル値を２つ等の複数の範囲に分割し、各範囲毎にαを変えて補正を行う構成とすることもできる。
【００６２】
また、体脂肪率を表示する方法については、リモートコントロールの対象であるテレビジョン受信装置５３の画面５１に表示する構成とした場合について説明したが、リモートコントローラとしての機能を省略するとともに、ＬＣＤ等の表示器を追加した構成とし、追加した表示器に体脂肪率を表示する構成とすることができる。
【００６３】
【発明の効果】
以上説明したように、本発明では、測定用信号が生成されている状態において、第１の電極と第２の電極とに生体が接触したときに整流回路から出力される検出信号のレベル値から、測定用信号の生成を停止した状態において、前記バイアス回路によりバイアス電流が与えられているＰＮＰトランジスタに、検出信号のレベル値を変移させるバイアス電流を追加して与えたときの検出信号のレベル値を減算する補正手段を備え、体脂肪率算出手段は、補正手段における減算結果に基づいて体脂肪率を求めている。つまり、体脂肪率は、温度特性による誤差が補正された測定値に基づいて求められている。また、補正のための演算は減算となっている。このため、温度変化による体脂肪率の測定精度の低下を防止することができ、且つ、補正の演算のためのプログラムを簡単化することができる。
【００６４】
また本発明に係る体脂肪率測定装置は、測定用信号が生成されている状態において、第１の電極と第２の電極とに生体が接触したときに整流回路から出力される検出信号のレベル値を、測定用信号の生成を停止した状態において、前記バイアス回路によりバイアス電流が与えられているＰＮＰトランジスタに、検出信号のレベル値を変移させるバイアス電流を追加して与えたときの検出信号のレベル値を用いて補正する補正手段を備え、体脂肪率算出手段は、補正手段における補正結果に基づいて体脂肪率を求めている。つまり、体脂肪率は、温度特性による誤差が補正された測定値に基づいて求められているので、温度変化による体脂肪率の測定精度の低下を防止することができる。
【００６５】
また本発明に係る体脂肪率測定装置は、測定用信号が生成されている状態において、第１の電極と第２の電極とに生体が接触したときに整流回路から出力される検出信号のレベル値から、測定用信号の生成を停止した状態において、前記バイアス回路によりバイアス電流が与えられているＮＰＮトランジスタに、検出信号のレベル値を変移させるバイアス電流を追加して与えたときの検出信号のレベル値を減算する補正手段を備え、体脂肪率算出手段は、補正手段における減算結果に基づいて体脂肪率を求めている。つまり、体脂肪率は、温度特性による誤差が補正された測定値に基づいて求められている。また、補正のための演算は減算となっている。このため、温度変化による体脂肪率の測定精度の低下を防止することができ、且つ、補正の演算のためのプログラムを簡単化することができる。
【００６６】
また本発明に係る体脂肪率測定装置は、測定用信号が生成されている状態において、第１の電極と第２の電極とに生体が接触したときに整流回路から出力される検出信号のレベル値を、測定用信号の生成を停止した状態において、前記バイアス回路によりバイアス電流が与えられているＮＰＮトランジスタに、検出信号のレベル値を変移させるバイアス電流を追加して与えたときの検出信号のレベル値を用いて補正する補正手段を備え、体脂肪率算出手段は、補正手段における補正結果に基づいて体脂肪率を求めている。つまり、体脂肪率は、温度特性による誤差が補正された測定値に基づいて求められているので、温度変化による体脂肪率の測定精度の低下を防止することができる。
【図面の簡単な説明】
【図１】本発明に係る体脂肪率測定装置の一実施形態におけるインピーダンス検出手段の詳細な電気的接続を示す回路図である。
【図２】実施形態の電気的構成を示すブロック線図である。
【図３】実施形態の外観形状を示す説明図である。
【図４】電極の詳細を示す説明図である。
【図５】体脂肪率の測定時の主要動作を示すフローチャートである。
【図６】体脂肪率が表示される画面を示す説明図である。
【図７】素子にＰＮＰトランジスタを用いた場合の主要信号の波形を示す説明図である。
【図８】素子にＮＰＮトランジスタを用いた場合のインピーダンス検出手段の詳細な電気的接続を示す回路図である。
【図９】素子にＮＰＮトランジスタを用いた場合の主要信号の波形を示す説明図である。
【図１０】従来技術としてのレベル検出手段の電気的接続を示す回路図である。
【符号の説明】
１  第１の電極
２  第２の電極
３  信号生成手段
４，４ａ  レベル検出手段
７，７ａ  バイアス回路
８，８ａ  整流回路
１５１，１５１ａ  検出信号
３０１，３０１ａ  測定用信号
Ｃ１  接続用コンデンサ
Ｌ４１，Ｌ４２  第１の電極を形成する電極板
Ｑ１  ＰＮＰトランジスタ
Ｑ１１  ＮＰＮトランジスタ
Ｒ１  第１の抵抗
Ｒ２  第２の抵抗
Ｒ１４  検出用抵抗
Ｒ４１，Ｒ４２  第２の電極を形成する電極板
Ｚ  生体インピーダンス
Ｓ２，Ｓ５  補正手段を構成するステップ
Ｓ６  体脂肪率算出手段を構成するステップ
【図１】
0003596005.tif 000002
【図２】
0003596005.tif 000003
【図３】
0003596005.tif 000004
【図４】
0003596005.tif 000005
【図５】
0003596005.tif 000006
【図６】
0003596005.tif 000007
【図７】
0003596005.tif 000008
【図８】
0003596005.tif 000009
【図９】
0003596005.tif 000010
【図１０】
0003596005.tif 000011